(57)【要約】  本発明は、ワイヤレスローカルエリアネットワーク(ＷＬＡＮ)中にイニシャルネットワーク選択の設定を維持しているユーザー機器(ＵＥ)のための方法を明らかにする。ＵＥはローミング状態に入るときにイニシャルネットワーク選択を自身に設定して蓄積し、その方法は、ＵＥが現在の時間情報の一部、又は、ＷＬＡＮ関連情報の一部を検出して取得する。；それから、ＵＥは、イニシャルネットワーク選択の設定の変更が必要であるか否かを、取得した情報、又はイニシャルネットワーク選択の変更に基づいて決定し、必要であれば、ＵＥの蓄積されたイニシャルネットワーク選択をアップデートし、そうでなければ、イニシャルネットワーク選択を保持する。本発明に基づき、ワイヤレス通信ネットワークの大多数に接続しているＷＬＡＮを介してＵＥがアクセスしようとしているときに、アクセスするワイヤレス通信ネットワークの選択を適切、且つ適時にすることができる。
2007502556.tif 000002
【特許請求の範囲】
【請求項１】
ワイヤレスローカルエリアネットワーク(ＷＬＡＮ)中にイニシャルネットワーク選択の設定を維持しているユーザー機器(ＵＥ)のための方法であって、ＵＥは、ローミング状態に入るとき、イニシャルネットワーク選択を自身に設定して蓄積し、
さらに、
ａ．ＵＥが、時間情報の一つ及びＷＬＡＮ関連情報の一つの少なくとも１つを検出すること及び取得すること、
ｂ．ＵＥが、イニシャルネットワーク選択の設定の変更に必要があるか否かを、取得した時間情報の変更、及びＷＬＡＮ関連情報の変更の少なくとも何れか一方に基づいて決定し、必要であれば、ＵＥ内のイニシャルネットワーク選択をアップデートし、そうでなければ、イニシャルネットワーク選択を保持すること、を含む方法。
【請求項２】
ステップｂにおいて、時間情報の変更、及びＷＬＡＮ関連情報の変更の少なくとも１つに基いて決定する手続を含み、取得した時間情報が予め設定されたＵＥのイニシャルネットワーク選択の実効時間に到達している、又は超えていることを示しているか否かを決定し、実効時間に到達している、又は超えていれば、イニシャルネットワーク選択の設定を変更し、そうでなければ、イニシャルネットワーク選択の設定を保持することを含む請求項１記載の方法。
【請求項３】
ＵＥ内にＷＬＡＮ関連情報を蓄積することを更に含んでいる請求項１記載の方法。
【請求項４】
ステップｂにおいて、時間情報の変更、及びＷＬＡＮ関連情報の変更の少なくとも１つに基いて決定する手続を含み、；現に検出されたＷＬＡＮ関連情報をＵＥ内に蓄積されたＷＬＡＮ関連情報と比較し、一致する情報がなければ、イニシャルネットワークの設定を修正し、そうでなければ、イニシャルネットワーク選択の選択を保持する請求項３記載の方法。
【請求項５】
ステップｂにおいて、時間情報の変更、及びＷＬＡＮ関連情報の変更の少なくとも１つに基いて決定する手続を含み、；取得した時間情報が予め設定されたＵＥのイニシャルネットワーク選択の実効時間に到達している、又は超えていることを示しているか否かを第一に決定し、実効時間に到達している、又は超えていれば、イニシャルネットワーク選択の設定を変更し、そうでなければ、現に検出したＷＬＡＮ関連情報をＵＥ内に蓄積したＷＬＡＮ関連情報と比較し、一致する情報が無ければ、イニシャルネットワーク選択の設定を修正し、そうでなければ、イニシャルネットワーク選択の設定を保持する請求項３記載の方法。
【請求項６】
ステップｂにおいて、時間情報の変更、及びＷＬＡＮ関連情報の変更の少なくとも１つに基いて決定する手続を含み、；現に検出されたＷＬＡＮ関連情報をＵＥ内に蓄積されたＷＬＡＮ関連情報と第一に比較し、一致した情報がなければ、イニシャルネットワーク選択の設定を修正し、そうでなければ、取得した時間情報が予め設定されたＵＥのイニシャルネットワーク選択の実効時間に到達している、又は超えていることを示しているか否かを決定し、実効時間に到達している、又は超えていれば、イニシャルネットワーク選択の設定を変更し、そうでなければ、イニシャルネットワーク選択の設定を保持する請求項３記載の方法。
【請求項７】
ＷＬＡＮ関連情報は、ＷＬＡＮのサービス設定ＩＤ（ＳＳＩＤ）の少なくとも一つ、ＷＬＡＮが属しているモバイル国コード（ＭＭＣ）の少なくとも一つ、及び、その地域ＩＤの少なくとも一つの何れかを含んでいる請求項４、５、又は６記載の方法。
【請求項８】
イニシャルネットワーク選択の設定をアップデートする手続きは、ＵＥに蓄積されたイニシャルネットワークをＵＥのホームネットワークにアップデートすること、及び、ＵＥに蓄積されたイニシャルネットワークをゼロにアップデートすること、の一つを含んでいる請求項１、２、４、５、又は６記載の方法。
【請求項９】
ＵＥに蓄積されたイニシャルネットワーク選択がアップデートされるとき、アップデート通知メッセージをＵＥに送ることをさらに含む請求項１、２、４、５、又は６記載の方法。
【請求項１０】
ＵＥにイニシャルネットワーク選択を蓄積する前に、プロンプトメッセージをＵＥに送ることをさらに含む請求項１、２、４、５、又は６記載の方法。
【発明の詳細な説明】
【技術分野】
【０００１】
本発明は、ネットワークにアクセスする技術に関連し、特には、ワイヤレスローカルエリアネットワーク（ＷＬＡＮ）中にイニシャルネットワーク選択の設定を維持しているユーザー機器（ＵＥ）のための方法に関する。
【背景技術】
【０００２】
より高いワイヤレスアクセスレートに対するユーザーの要求につれて、ＷＬＡＮが出現しており、それは、比較的小さなエリアで高いレートのワイヤレスデータアクセスを提供することができる。ＷＬＡＮにおいては、種々の技術が用いられており、それらの中でより多くの用途を有する技術標準規格は、ＩＥＥＥ８０２．１１ｂである。この標準規格は、最高１１Ｍｂｐｓまでのデータ伝送レートに２．４ＧＨｚの周波数帯を利用する。同じ周波数帯を利用している他の技術標準規格には、ＩＥＥＥ８０２．１１ｇやブルートゥースが含まれ、ＩＥＥＥ８０２．１１ｇのデータ伝送レートは、５４Ｍｂｐｓに及んでいる。他にも、同様に最高５４Ｍｂｐｓまでの伝送レートで５ＧＨｚの周波数帯を利用するＩＥＥＥ８０２．１１ａやＥＴＳＩ  ＢＲＡＮ  Ｈｉｐｅｒｌａｎ２などの新しい標準規格がある。
【０００３】
ワイヤレスアクセスのための標準規格としては様々なものがあるが、殆どのＷＬＡＮは、ＩＰデータパケットを転送するために使われる。ワイヤレスＩＰネットワークに採用される具体的なＷＬＡＮアクセス標準規格は、通常、上層レベルＩＰに対して透過的（トランスピアレント）である。そのようなネットワークは、一般に、ＵＥのワイヤレスアクセスを実施するためのアクセスポイントによって構成され、また、ＩＰ伝送を実施するための制御及び接続機器によって構成される。
【０００４】
ＷＬＡＮの成長及び発展に伴って、研究の焦点は、ＧＳＭ、ＣＤＭＡ、ＷＣＤＭＡ、ＴＤ−ＳＣＤＭＡ及びＣＤＭＡ２０００等の様々なモバイル通信ネットワークとＷＬＡＮとのインターワーキング（相互接続）にシフトしている。３ＧＰＰ標準に基づき、ＵＥは、インターネットやイントラネットだけでなく、ＷＬＡＮアクセスネットワークを介してホームネットワークや３ＧＰＰシステムの在圏ネットワークにも接続することができる。具体的には、ローカルでアクセスするとき、ＷＬＡＮ  ＵＥは、図２に示すようにＷＬＡＮアクセスネットワークを介して３ＧＰＰホームネットワークと接続する。；ローミングするとき、それは、ＷＬＡＮアクセスネットワークを介して３ＧＰＰの在圏ネットワークと接続する。３ＧＰＰの在圏ネットワークのエンティティのいくつかは、３ＧＰＰホームネットワークの対応するエンティティと接続され、例えば、在圏ネットワークの３ＧＰＰ認証、許可、アカウンティング（ＡＡＡ）プロキシは、ホームネットワーク中の３ＧＰＰ  ＡＡＡサーバーと接続され、在圏ネットワーク中のＷＬＡＮアクセスゲートウェイ（ＷＡＧ）は、図１に示すように、ホームネットワーク中のパケットデータゲートウェイ（ＰＤＧ）と接続される。図１及び図２は、それぞれローミング及びノンローミング環境下での３ＧＰＰシステムとともにＷＬＡＮインターワーキングのネットワーキングアーキテクチャを示す概略図である。
【０００５】
図１及び図２に示すように、３ＧＰＰシステムは、主として、ホーム加入者サーバー（ＨＳＳ）／ホームロケーションレジスタ（ＨＬＲ）、３ＧＰＰ  ＡＡＡサーバー、３ＧＰＰ  ＡＡＡプロキシ、ＷＡＧ、ＰＤＧ、課金ゲートウェイ（ＣＧｗ）／課金情報収集機能（ＣＣＦ）及びオンライン課金システム（ＯＣＳ）を備える。ＵＥ、ＷＬＡＮアクセスネットワーク及び３ＧＰＰシステムの全てのエンティティは、総合的に３ＧＰＰ−ＷＬＡＮインターワーキングネットワークを構成しており、それは、ＷＬＡＮサービスシステムとみなすことができる。このサービスシステムにおいて、３ＧＰＰ  ＡＡＡサーバーは、ＵＥの認証、許可及びアカウンティングを担当し、ＷＬＡＮアクセスネットワークから送られる課金情報を収集し、情報を課金システムに転送する。；ＰＤＧは、ＷＬＡＮアクセスネットワークから３ＧＰＰネットワーク又は他のパケットデータネットワークへのユーザーデータの送信を課金する。；そして、課金システムは、主に、ネットワークから送信されたＵＥの課金情報を受け取って記録する一方、ＯＣＳは、オンライン課金されたユーザーの代金に基づいて周期的にオンライン課金情報を送信するようネットワークに指示を行うとともに統計を行ってコントロールを実施する。
【０００６】
ノン−ローミング環境下では、ＷＬＡＮ  ＵＥがインターネット／イントラネットに直接アクセスしたいとき、ＵＥは、ＷＬＡＮアクセスネットワーク介してＡＡＡサーバー（ＡＳ）によって認証を遂行した後に、ＷＬＡＮアクセスネットワークを介してインターネット／イントラネットにアクセスすることができる。ＷＬＡＮ  ＵＥが３ＧＰＰパケット交換方式（ＰＳ）ドメインのサービスの利用を要求するならば、それは、３ＧＰＰホームネットワークからシナリオ３のサービスをさらに要求し得る。即ち、ＷＬＡＮ  ＵＥは、３ＧＰＰホームネットワークのＡＳにシナリオ３に対するサービス許可要求を開始し、それは、サービス認証とその要求に対する許可を実行するであろう。；認証と許可が成功すれば、ＡＳは、アクセス承認メッセージをＵＥに送信し、対応するＰＤＧをそのＵＥに割り当てる。ＵＥと割り当てられたＰＤＧとの間でトンネルが確立されたとき、ＵＥは、３ＧＰＰ  ＰＳドメインのサービスにアクセス可能となる。一方、オフラインチャージシステム及びＯＣＳは、ＵＥのネットワークの占有に基づいて課金情報を記録する。
【０００７】
ローミング環境下では、ＷＬＡＮ  ＵＥがインターネット／イントラネットに直接アクセスしたいとき、３ＧＰＰ在圏ネットワークによってインターネット／イントラネットにアクセスするために、３ＧＰＰホームネットワークに対して要求をし得る。また、ＵＥが３ＧＰＰ  ＰＳドメインのサービスにアクセスするためにシナリオ３のサービスを要求したいとき、ＵＥは、３ＧＰＰホームネットワークにおいて、３ＧＰＰ在圏ネットワークを介してサービス許可プロセスを開始する必要がある。その許可は、同様に、ＵＥと３ＧＰＰホームネットワークのＡＳとの間で実行される。許可の成功の後、ＡＳは、対応するホームＰＤＧをＵＥに割り当て、そして、ＵＥは、３ＧＰＰ在圏ネットワークのＷＡＧを介して割り当てられたＰＤＧとのトンネルを確立した後に、ホームネットワークの３ＧＰＰ  ＰＳドメインのサービスにアクセス可能となる。
【０００８】
図３に示されるように、３ＧＰＰ−ＷＬＡＮインターワーキングネットワークにおいて、ＷＬＡＮが複数の３ＧＰＰ在圏ネットワーク、即ち、複数のワイヤレス通信ネットワーク（３ＧＰＰ在圏ネットワーク。ここでは、在圏公衆陸上移動網（ＶＰＬＭＮ）と称される）と同時に接続される場合、ＵＥがＷＬＡＮにアクセスした後に、アクセスするのに好ましいＶＰＬＭＮを選択することがＷＬＡＮ  ＵＥに必要になるであろう。例えば、中国において、ＷＬＡＮアクセスネットワークは、２つの使用可能なＶＰＬＭＮである中国モバイル及び中国ユニコムと同時に接続し得る。；そして、中国ユニコムのユーザーは、ＷＬＡＮを介してアクセスした後に、中国ユニコムの使用可能なＶＰＬＭＮにそれをアクセスさせるべく、ＷＬＡＮアクセスネットワークに指示を行う必要がある。
【０００９】
他の例では、フランスのユーザーのホームネットワークが中国モバイル及び中国ユニコムの両方のローミングプロトコルを有していれば、フランスのユーザーは、中国内のＷＬＡＮにローミングすることができ、ＷＬＡＮアクセスネットワークが中国モバイル及び中国ユニコムの両方と接続される環境下では、このフランスのユーザーは、ＷＬＡＮにアクセスした後にアクセスするＶＰＬＭＮを選択する必要があろう。現在、上記の環境下で、ＷＬＡＮ  ＵＥは、現にアクセスされるために最初にワイヤレス通信ネットワークを選び、そして、ネットワーク選択情報が別々に設定されたフィールドに置かれるか、又は、ネットワークアクセス識別標識(ＮＡＩ)の形式で定義されたユーザー識別標識のフィールドに置かれ、そのネットワーク選択情報手段によって選択されたネットワークをＷＬＡＮアクセスネットワークに通知する。
【発明の開示】
【発明が解決しようとする課題】
【００１０】
しかし、ＷＬＡＮ  ＵＥがネットワークの選択を毎回すると、ネットワーク資源の消費は非常に大きくなってしまう。例えば、ユーザーのホームネットワークがユーザーを現にカバーしているＷＬＡＮアクセスネットワークに直接接続していない状態でユーザーがローカルエリアから離れてローミングすると、この場合ＵＥは、常にイニシャルネットワーク選択としてそれ自身のホームネットワークの情報をＷＬＡＮアクセスネットワークに送り、ネットワーク選択処理は、アクセスするためのＵＥの要求が毎回きっかけにされ、ＷＬＡＮがワイヤレス通信ネットワークの情報をＵＥに発行する結果、ＵＥは、アクセス、ネットワーク資源の消費、及びユーザーのアクセスの遅延の前に、決定及び選択を行い得る。最後に選択されたワイヤレス通信ネットワークが現在の選択として単に取られるならば、それは、現在選択されたネットワークが他のＷＬＡＮによってカバーされたエリアに移動されたＷＬＡＮ  ＵＥにとって最もよいＰＬＭＮでないことがある。換言すれば、ＷＬＡＮ  ＵＥが新しいＷＬＡＮによってカバーされているとき、アクセスするＵＥがこのＵＥのホームネットワークとのローミング関係を持っているため、デフォルトネットワーク又は最後に選択されたネットワークとはいえ、このＷＬＡＮは、ＵＥのホームＰＬＭＮ（ＨＰＬＭＮ）、又は、アクセスするＵＥのための他の最適なＶＰＬＭＮのに直接接続することが起こりうる。これらの環境下で、それは、ＵＥのルートを決定するデフォルト又は選択されたネットワークが存在するため、動作ネットワークの新しいネットワーク選択の実行をすることが不可能であり、従って、それは、現在のＷＬＡＮ、例えば、ＨＰＬＭＮに接続された最適なＰＬＭＮを選択するＵＥを保証することは不可能である。これを考慮して、最後のネットワーク選択を最適化するための方法は、別の特許出願の中に開示されており、その重要なアイデアは、：ＷＬＡＮアクセスネットワークの検出された変更又はユーザーによる設定に関して送られるために、ＵＥがネットワーク選択情報を決定し、変更が無い場合に、最後にうまくアクセスされたネットワークの情報を伝達し続け、そうでなければ、ネットワーク選択情報としてネットワークの予め設定された初期の選択を取る。しかし、この方法は、ＵＥの部分を実施するのに複雑になってしまう。さらに、場合によっては、ＵＥは、それ自身によってアクセスされることが要求されるＰＬＭＮを知っていた可能性があり、従って、上記の方法を使うことは不要であろう。
【課題を解決するための手段】
【００１１】
本発明は、ワイヤレス通信ネットワークの大多数に接続しているＷＬＡＮを介してＵＥがアクセスされようとしているときに、アクセスするワイヤレス通信ネットワークの適切且つ適時の選択をすることができるＵＥであって、イニシャルネットワーク選択の設定を維持しているＷＬＡＮ  ＵＥのための方法を提供する。
【００１２】
本発明に基づく技術的解決策は次の通りであり、：
ＷＬＡＮにおいてイニシャルネットワーク選択の設定を維持しているＵＥのための方法であって、：ＵＥはローミング状態に入るときに、イニシャルネットワーク選択をそれ自身に設定して蓄積することを含み、さらに、
ａ．ＵＥは、時間情報の一つ、及び／又はＷＬＡＮ関連情報の一つを検出して取得すること、
ｂ．ＵＥは、イニシャルネットワーク選択の設定を変更することが必要であるか否かを、取得した時間情報の変更、及び／又は、ＷＬＡＮ関連情報の変更に基づいて決定し、必要であれば、ＵＥのイニシャルネットワーク選択をアップデートする一方、そうでなければ、イニシャルネットワーク選択を保持することを含んでいる。
【００１３】
ステップＢの決定は、入力された時間情報が、ＵＥのイニシャルネットワーク選択に予め設定された実効時間に到達し、又は超えたことを示すか否かを決定し、実効時間に到達し又は超えていれば、イニシャルネットワーク選択の設定を変更する一方、そうでなければ、イニシャルネットワーク選択の設定を保持することを含む。
【００１４】
方法は、ＵＥ内にＷＬＡＮ関連情報を蓄積することを更に含み、そして、ステップｂの決定において、現に検出されたＷＬＡＮ関連情報をＵＥ内に蓄積されたＷＬＡＮ関連情報と比較し、一致した情報が無ければ、イニシャルネットワーク選択の設定を修正する一方；そうでなければ、イニシャルネットワーク選択の設定を保持することを含む。または、ステップｂの決定は、取得した時間情報が、ＵＥのイニシャルネットワーク選択に予め設定された実効時間に到達し、又は超えたことを示すか否かを第一に決定し、実効時間に到達し、又は超えていれば、イニシャルネットワーク選択の設定を変更する一方、そうでなければ、現に検出されたＷＬＡＮ関連情報をＵＥ内に蓄積されたＷＬＡＮ関連情報と比較し、一致した情報が無ければ、イニシャルネットワーク選択の設定を修正し、そうでなければ、イニシャルネットワーク選択の設定を保持することを含んでいる。または、ステップｂの決定は、現に検出されたＷＬＡＮ関連情報をＵＥ内に蓄積されたＷＬＡＮ関連情報と第一に比較し、一致する情報が無ければ、イニシャルネットワーク選択の設定を修正し、そうでなければ、取得した時間情報が、ＵＥのイニシャルネットワーク選択に予め設定された実行時間に到達し、又は超えたことを示すか否かを決定し、実行時間に到達し、又は超えていれば、イニシャルネットワーク選択の設定を変更する一方、そうでなければ、イニシャルネットワーク選択の設定を保持することを含んでいる。
【００１５】
上記の解決策において、ＷＬＡＮ関連情報は、ＷＬＡＮのサービスセットＩＤ（ＳＳＩＤ）又はＷＬＡＮが属しているモバイルの国コード（ＭＭＣ）、又はその地域ＩＤを含んでいる。
【００１６】
上記の解決策において、イニシャルネットワーク選択の設定をアップデート手続きは、ＵＥのホームネットワークにＵＥの蓄積されたイニシャルネットワーク選択をアップデートし、又は、ＵＥの蓄積されたイニシャルネットワーク選択をゼロにアップデートすることを含んでいる。
【００１７】
その方法は、ＵＥ内に蓄積されたイニシャルネットワーク選択がアップデートされるときに、アップデート通知をＵＥに送ることをさらに含んでいる。
【００１８】
その方法は、ＵＥ内に蓄積されたイニシャルネットワーク選択がアップデートされる前に、プロンプティングメッセージをＵＥに送ることをさらに含んでいる。
【００１９】
イニシャルネットワーク選択の設定を維持しているＷＬＡＮ  ＵＥのための本発明の方法に基づき、実行時間に到達し又は超えたか否か、又は、現にＵＥをカバーしているＷＬＡＮサービスエリアが、カレントＵＥのホームネットワークにイニシャルネットワーク選択をアップデートするか否かを決定するように変更されたか否かを、ＵＥは、現在の検出時間情報、又はＷＬＡＮ関連情報の変更に基づいて決定する。この方法は、ＵＥがアクセスされるごとのワイヤレス通信ネットワークの反復的な選択を避けて、時間とアクセスの数を減らし、そして、ＵＥのアクセス手続きを最適化して、ＵＥがローミング状態とノンローミング状態との間で切り換えるときに、ＷＬＡＮ  ＵＥは、アクセスに適切なワイヤレス通信ネットワークの選択を適時且つ正確に保証する。さらに、１回のアクセスの可能性が上げられ、ＷＬＡＮが変わったときに、例えば、彼女／彼がローミングエリアから帰った後にユーザーがイニシャルネットワーク選択を修正することを忘れるときに、通信費はある程度まで蓄積される。
【発明を実施するための最良の形態】
【００２０】
本発明に基づき、ＵＥは、イニシャルネットワーク選択の設定の修正が必要であるか否かについて、現に検出された時間情報、又は、ＷＬＡＮ関連情報の変更に基づいて決定し、修正が必要であるならば、アップデートされたイニシャルネットワーク選択がアクセスを試すために使われるように、カレントＵＥ内にセットしたイニシャルネットワーク選択をアップデートし、そうでなければ、選択が要求されたときに、何れのアップデートもされることなく、設定されたイニシャルネットワーク選択が使われる。この方法において、現にＵＥをカバーしているＷＬＡＮサービスエリアが変わったときに、ＵＥが、時間内にそれ自身のイニシャルネットワーク選択、すなわちアクセスのための最も高いプライオリティを持つワイヤレス通信ネットワークの情報をアップデートし、従って、最も速い方法で最もよいワイヤレス通信ネットワークにアクセスすることができることは保証される。
【００２１】
ここで時間情報は、設定されたイニシャルネットワーク情報と一致する実効時間を参照する。ここでＷＬＡＮ関連情報は、ＵＥをカバーしているＷＬＡＮサービスエリアが変わったかどうか、例えばＷＬＡＮのＳＳＩＤ、又はＭＣＣ、又は、地域ＩＤを決定するために使用できる情報を参照する。
【００２２】
すべてのＵＥは、カバーしているＷＬＡＮが変更されてから、ＵＥがローミング状態でローカルネットワークにカバーされているとき、通常そのホームネットワークをイニシャルネットワーク選択として設定し、ユーザーは、ＵＥのホームネットワークにローミング関係を有し、且つ、ＵＥをカバーしているＷＬＡＮに接続される最適なワイヤレス通信ネットワークとして、ＵＥに蓄積されたイニシャルネットワーク選択を再設定する。従って、本発明を実施するための必要条件は以下の通りである。：各ＵＥは、デフォルトイニシャルネットワーク選択として、それ自身のホームネットワークＨＰＬＭＮを設定し、ＷＬＡＮが変わったときに、ＵＥ内に蓄積されたイニシャルネットワーク選択は再設定されている。さらに、イニシャルネットワーク選択は、ＷＬＡＮが変わったときにカレントＷＬＡＮアクセスネットワークに伝えられるネットワーク選択情報として使われる。
【００２３】
本発明に基づき、実効時間は、カレントＵＥのイニシャルネットワーク選択を再設定と同時にイニシャルネットワーク選択が設定される。実効時間に達するならば、ＵＥが例えばローカルネットワークに戻り、ローミングエリアを去るときに、ＵＥ自身に蓄積されたイニシャルネットワーク選択が、このＵＥのホームネットワークためにリセットされることを保証するように、カレントＵＥ内に蓄積されたイニシャルネットワーク選択は、このＵＥのホームネットワークのためにリセットされるであろう。実効時間に達するときに、様々な方法として、例えばメッセージの表示や、誘発トーンを鳴らすなどして、ユーザーに知らせるために用いることができる。
【００２４】
本発明に基づき、このＵＥのホームネットワークに、ＵＥ内に現に蓄積されたイニシャルネットワーク選択をリセットすることが必要であるか否かを、蓄積されたＷＬＡＮ関連情報を現に検出されたＷＬＡＮ関連情報と比較することによってカレントＵＥが決定することができるように、ＷＬＡＮ関連情報とアクセスする最も高いプライオリティを持って対応するワイヤレス通信ネットワークがＵＥ内に同時に蓄積される。例えば、ワイヤレス通信ネットワークＭ１と一致しているＷＬＡＮ関連情報ＳＳＩＤ１、ＳＳＩＤ３及びＳＳＩＤ８は、イニシャルネットワーク選択としてＵＥ  Ａに設定され、ＳＳＩＤ１、ＳＳＩＤ３、及びＳＳＩＤ８の何れでもないＳＳＩＤ２であるＵＥ  Ａによって、ＷＬＡＮ連情報が現に検出されれば、ＵＥ  Ａは、そのホームネットワークにそれ自身のイニシャルネットワーク選択をアップデートする。別の例として、動作ネットワークＭ２と一致しているＷＬＡＮ関連情報ＭＭＣ１はイニシャルネットワーク選択としてＵＥ  Ｂに設定され、現にＵＥ  Ｂによって検出されたＷＬＡＮ関連情報がＭＣＣ２であるならば、ＵＥ  Ｂは、そのホームネットワークにそれ自身のイニシャルネットワーク選択をアップデートする。ＵＥは、例えばＷＬＡＮ放送の検出、他のワイヤレスネットワーク放送の検出等の様々な方法によって、ＷＬＡＮが変わり、すなわちＳＳＩＤ又はＭＣＣが変わるのを知り得る。
【００２５】
図４に示す如く、本発明に基づくイニシャルネットワーク選択をアップデートするプロセスは次のステップを含む。：
【００２６】
ステップ４００： カレントＵＥはローミング状態に入るときにイニシャルネットワーク選択を設定する。；
【００２７】
ステップ４０１： カレントＵＥは現在の時間情報、又はＷＬＡＮ関連情報を検出し、取得する。；
【００２８】
ステップ４０２〜４０４： イニシャルネットワーク選択の設定の変更が必要であるか否かを検出時間情報、又はＷＬＡＮ関連情報の変更に基づき決定する。必要なら、カレントＵＥ内に蓄積されたイニシャルネットワーク選択をアップデートする。；そうでなければ、すでにカレントＵＥに設定されたイニシャルネットワーク選択を保持する。一般に、ＵＥ内のイニシャルネットワーク選択はこのＵＥのホームネットワークにアップデートされる； しかし、要求される場合、イニシャルネットワーク選択はまたゼロにアップデートされ得る。
【００２９】
当然に、ＵＥのホームネットワークにＵＥ内のイニシャルネットワーク選択をアップデートするか否かがユーザーによって決定され、例えば、ＵＥがＷＬＡＮ関連情報の変更を検出したとき、メッセージがユーザーに表示され、イニシャルネットワーク選択情報を修正することが必要であるか否かをユーザーに問い合わせる。必要なら、ＵＥのホームネットワークにイニシャルネットワーク選択をリセットするか、又は、ユーザーは設定を再選択し得る。；そうでなければ、部分修正を全く行わない。一定の期間、ユーザーからの反応がなければ、自動的なアップデートはデフォルトとして実行され、それから、プロンプトがユーザーに表示される。
【００３０】
本発明に基づく方法を実施するのに三つの解決策がある。： 第一に、設定されたイニシャルネットワーク選択の実効時間だけがＵＥ内に蓄積され、現在の時間が実効時間に到達したか否かのみを決定する。； 第二に、ＷＬＡＮ関連情報のみがＵＥに蓄積され、ＵＥをカバーしているＷＬＡＮサービスエリアが変更されるか否かを決定するように、自身に蓄積されたＷＬＡＮ関連情報を現に検出されたＷＬＡＮ関連情報と比較のみを行う。；第三の解決策は、上記の二つの組み合わせ、すなわち、設定されたイニシャルネットワーク選択の実効時間とＷＬＡＮ関連情報をＵＥ内に同時に蓄積し、ＷＬＡＮ関連情報を比較する前に時間を決定するか、時間を決定する前にＷＬＡＮ関連情報の比較を行う。
【００３１】
上記三つの解決策の実施を詳細に説明するために、例を以下に挙げる。：加入者Ｃのホームネットワークは中国における中国モバイルである。加入者Ｃが英国にローミングするとき、それは中国モバイルによってカバーされていないが、中国モバイルとのローミング関係を持っているボーダフォンによってカバーされている。従って、ボーダフォンにイニシャルネットワーク選択をＵＥ  Ｃに設定し、同時に、それの実効時間として５日間と設定する。
【００３２】
第一の解決策の場合、ＵＥが、現在の時間が６日目、すなわち現在の時間が５日の実効時間を越えたことを検出すると、中国モバイルのためにＵＥ  Ｃ内のイニシャルネットワーク選択をリセットする。
【００３３】
第二の解決策の場合、ＵＥ  Ｃが中国からＳＳＩＤ１、ＳＳＩＤ３、又は４４のＭＣＣの英国にローミングした後、ボーダフォンに対応しているＷＬＡＮ関連情報は、ＵＥ  Ｃ中に蓄積される。ＵＥ  Ｃが現に中国に戻る、又はフランスにローミングすると、ＵＥ  Ｃは、カレントＷＬＡＮのＳＳＩＤがもうＳＳＩＤ１、又はＳＳＩＤ３ではないことを検出するか、カレントＷＬＡＮと一致しているＭＣＣが４４でないことを検出し、ＵＥをカバーしているＷＬＡＮサービスエリアが変わったことを意味して、中国モバイルのためにＵＥ  Ｃ内のイニシャルネットワーク選択をリセットする。
【００３４】
第三の解決策の場合、それは、現在の時間が５日に到達しているか否かを決定することが可能である。現在の時間が５日に達していると、中国モバイルのためにＵＥ  Ｃ内のイニシャルネットワーク選択をすぐにリセットする。；そうでなければ、ＵＥ  Ｃ自身に蓄積されたＷＬＡＮ関連情報の一つが現に検出されたＷＬＡＮ関連情報に一致するか否かを決定する。一致すれば、どのアップデートも実行されない；そうでなければ、中国モバイルのためにＵＥ  Ｃ内のイニシャルネットワーク選択をリセットする。代わりに、現に検出されたＷＬＡＮ関連情報がＵＥ  Ｃ自身に蓄積されたＷＬＡＮ関連情報の一つと一致するか否かを第一に決定し、もしそうでなければ、中国モバイルのためにＵＥ  Ｃ内のイニシャルネットワーク選択をリセットする。；そうでなければ、５日の期間に達しているか否かを決定し、５日の期間が到達していれば、中国モバイルのためにＵＥ  Ｃ内のイニシャルネットワーク選択をリセットする。；もしそうでなければ、どのアップデートも実行されない。
【００３５】
前述の説明はただの本発明の好適な実施例であり、それの保護範囲を制限することにおける使用のためではない。
【図面の簡単な説明】
【００３６】
【図１】図１は、ローミング環境下で相互に動作するＷＬＡＮシステムと３ＧＰＰシステムとのネットワークアーキテクチャを示している概略図である。
【図２】図２は、ノンローミング環境下で相互に動作するＷＬＡＮシステムと３ＧＰＰシステムのネットワークアーキテクチャを示している概略図である。
【図３】図３は、在圏ネットワークの大多数と接続しているＷＬＡＮのネットワークアーキテクチャを示している概略図である；
【図４】図４は、本発明に基づいてイニシャルネットワーク選択をアップデートするためのフローチャートである。
【図１】
2007502556.tif 000003
【図２】
2007502556.tif 000004
【図３】
2007502556.tif 000005
【図４】
2007502556.tif 000006
【国際調査報告】
2007502556.tif 000007
2007502556.tif 000008
2007502556.tif 000009
2007502556.tif 000010